(57)【特許請求の範囲】
【請求項１】
画像と前記画像の送信方法及び送信先を含む送信情報とを表示手段に表示し、ユーザの操作に応じて前記画像と１以上の前記送信情報とを関連づける関連付け手段と、
前記画像に関連付けられている前記送信情報に従って前記画像を送信する送信制御手段と、
ユーザ操作により前記表示手段に表示された前記送信方法が指示されると、当該送信方法が関連付けられている前記画像を他の送信方法が関連付けられている前記画像より先に前記表示手段に表示する表示制御手段と、
を有する装置。
【請求項２】
画像と前記画像の送信方法及び送信先を含む送信情報とを表示手段に表示し、ユーザの操作に応じて前記画像と１以上の前記送信情報とを関連づける関連付け手段、
前記画像に関連付けられている前記送信情報に従って前記画像を送信する送信制御手段、
ユーザ操作により前記表示手段に表示された前記送信方法が指示されると、当該送信方法が関連付けられている前記画像を他の送信方法が関連付けられている前記画像より先に前記表示手段に表示する表示制御手段、
としてコンピュータを機能させるプログラム。
【発明の詳細な説明】
【技術分野】
【０００１】
本発明は、画像送信装置及びプログラムに関する。
【背景技術】
【０００２】
特許文献１には、送信対象画像に対して送信方法などの送信情報を指定し、指定した送信情報に基づいて送信対象画像の送信処理を実行する技術が開示されている。
【０００３】
従来は、送信対象画像に複数の送信情報を指定して送信処理するときは、送信対象画像に送信情報を指定して送信するという一連の操作を、送信情報毎に繰り返し実行するしかなかった。
【先行技術文献】
【特許文献】
【０００４】
【特許文献１】特開２００８−１４８０５２号公報
【発明の概要】
【発明が解決しようとする課題】
【０００５】
本発明の目的の一つは、複数の画像のうち、送信をしたい画像をユーザが指定した送信方法でユーザが指定した送信先に送信することができる装置を提供することにある。
【課題を解決するための手段】
【０００６】
請求項１に記載の発明は、装置であって、画像と前記画像の送信方法及び送信先を含む送信情報とを表示手段に表示し、ユーザの操作に応じて前記画像と１以上の前記送信情報とを関連づける関連付け手段と、前記画像に関連付けられている前記送信情報に従って前記画像を送信する送信制御手段と、ユーザ操作により前記表示手段に表示された前記送信方法が指示されると、当該送信方法が関連付けられている前記画像を他の送信方法が関連付けられている前記画像より先に前記表示手段に表示する表示制御手段と、を有することとしたものである。
【０００７】
請求項２に記載の発明は、プログラムであって、画像と前記画像の送信方法及び送信先を含む送信情報とを表示手段に表示し、ユーザの操作に応じて前記画像と１以上の前記送信情報とを関連づける関連付け手段、前記画像に関連付けられている前記送信情報に従って前記画像を送信する送信制御手段、ユーザ操作により前記表示手段に表示された前記送信方法が指示されると、当該送信方法が関連付けられている前記画像を他の送信方法が関連付けられている前記画像より先に前記表示手段に表示する表示制御手段、としてコンピュータを機能させることとしたものである。
【発明の効果】
【０００８】
請求項１及び２に記載の発明によれば、ユーザが指定した送信方法に関連付けられる画像を他の画像より先に表示することができる。
【図面の簡単な説明】
【０００９】
【図１】本実施形態に係る画像送信装置のハードウェア構成の一例を示す図である。
【図２】本実施形態に係る画像送信装置が実現する機能の一例を示す機能ブロック図である。
【図３】送信態様記憶部に記憶されている送信態様の一例を示す図である。
【図４】関連付け制御部が実現する機能の一例を示す機能ブロック図である。
【図５】関連付け画面の一例を示す図である。
【図６】送信情報画像関連画面の一例を示す図である。
【図７】送信リスト記憶部に記憶される送信リストの一例を示す図である。
【図８】送信制御部が実現する機能の一例を示す機能ブロック図である。
【図９】送信制御画面の一例を示す図である。
【発明を実施するための形態】
【００１０】
以下、本発明の実施の形態について図面を参照しながら説明する。本実施形態では、装置の一例として画像送信装置について説明しているが、その他情報処理装置などであってもよい。
【００１１】
本実施形態に係る画像送信装置１０は、例えばパーソナルコンピュータ、複合機、ＦＡＸとして実現でき、図１に本実施形態に係る画像送信装置１０のハードウェア構成の一例を示す。図１に示すように、本実施形態に係る画像送信装置１０は、制御部１１、記憶部１２、通信部１３、表示部１４、及び操作部１５を含んで構成される。
【００１２】
制御部１１は、例えばＣＰＵ等であって、記憶部１２に格納されるプログラムに従って各種の情報処理を実行する。本実施形態において制御部１１が実行する処理の具体例については、後述する。
【００１３】
記憶部１２は、例えばＲＡＭやＲＯＭ等のメモリ素子、ハードディスクなどを含んで構成される。記憶部１２は、制御部１１によって実行されるプログラムや、各種のデータを保持する。また、記憶部１２は、制御部１１のワークメモリとしても動作する。
【００１４】
通信部１３は、例えばＬＡＮカード等のネットワークインタフェースであって、ＬＡＮや無線通信網などの通信手段を介して、他の情報処理装置との間で情報の送受信を行う。
【００１５】
表示部１４は、例えば液晶ディスプレイ等であって、制御部１１から入力される指示に従って、情報を表示する。
【００１６】
操作部１５は、例えばマウス、キーボード、タッチパネル等であって、ユーザの操作に応じた情報を制御部１１に出力する。
【００１７】
以下、画像送信装置１０が実現する機能の具体例について、説明する。図２は、本実施形態に係る画像送信装置１０が実現する機能の一例を示す機能ブロック図である。図２に示すように、本実施形態に係る画像送信装置１０は、機能的には、例えば、画像取得部２０、関連付け制御部２１、送信リスト生成部２２、送信制御部２３、画像記憶部２４、送信態様記憶部２５、及び送信リスト記憶部２６を含んで構成される。これらの機能のうち、画像取得部２０、関連付け制御部２１、送信リスト生成部２２、送信制御部２３は、記憶部１２に記憶されたプログラムを制御部１１が実行することにより実現されている。このプログラムは、例えば、光ディスク、磁気ディスク、磁気テープ、光磁気ディスク、フラッシュメモリ等のコンピュータ可読な情報記憶媒体を介して、あるいは、インターネットなどの通信手段を介して画像送信装置１０に供給される。また、画像記憶部２４、送信態様記憶部２５、及び送信リスト記憶部２６は、記憶部１２によって実現される。
【００１８】
画像取得部２０は、例えば、スキャンしたスキャン画像、予め記憶部に記憶されているデータ画像、といった画像を取得する。そして、画像取得部２０が取得した１以上の取得画像は画像記憶部２４に保存される。
【００１９】
関連付け制御部２１は、画像記憶部２４に記憶されている画像のうちから送信する画像である送信対象画像を取得し、当該送信対象画像の送信態様を示す１以上の送信情報を関連付ける。送信対象画像は、画像取得部２０が取得した画像のうち１以上の画像とする。また、送信対象画像は、画像取得部２０が取得した画像の一部を切り取った部分画像、または当該部分画像を加工したものであってもよい。送信態様には、送信対象画像を送信するための送信方法、送信対象画像を送信する送信先、などを含む。具体的には、送信方法として、メール送信、ＦＡＸ送信、サーバへ送信、といった方法がある。送信先は、メール送信、ＦＡＸ送信する場合は、メールアドレスやＦＡＸ番号、サーバへ送信する場合は、サーバの場所を示す情報（ＩＰアドレスなど）、となる。このような送信対象画像に関連付ける送信情報となり得る送信態様は予め送信態様記憶部２５に記憶されていることとする。
【００２０】
図３は、送信態様記憶部２５に記憶されている送信態様の一例を示す図である。図３に例示するように、送信態様は、送信方法情報１００と、送信先情報１１０とを含む。送信方法情報１００は、各種の送信方法を関連づけている。送信先情報１１０は、ユーザＩＤ、ユーザ名、メールアドレス、及びＦＡＸ番号を関連付けている。送信先情報１１０は、送信対象画像の送信先になり得るユーザのユーザ情報であり、例えばアドレス帳やユーザ管理情報から取得する情報であってもよい。ここでは、送信方法と、送信先とを組み合わせた情報が送信情報となる。
【００２１】
関連付け制御部２１が実行する、送信対象画像に送信情報を関連付ける処理の具体例について説明する。図４は、関連付け制御部２１が実現する機能の一例を示す機能ブロック図である。図４に示すように、関連付け制御部２１は、プレビュー画像生成部３０、プレビュー画像表示部３１、送信情報画像生成部３２、送信情報画像表示部３３、第１操作受付部３４、及び表示制御部３５を含んで構成される。
【００２２】
プレビュー画像生成部３０は、画像記憶部２４に保存されている取得画像のうちの送信対象画像に基づいて、画像送信装置１０の表示部１４に表示するプレビュー画像６０を生成する。プレビュー画像６０は、送信対象画像の内容をユーザが確認するための画像であり、プレビュー画像６０は、送信対象画像毎に生成される。プレビュー画像生成部３０は、表示部１４のディスプレイサイズや出力色数に応じて、送信対象画像を縮小、圧縮してプレビュー画像６０を生成してもよい。プレビュー画像６０は、送信対象画像と同じ画像形式であってもよいし、異なる画像形式であってもよい。なお、画像圧縮形式はＪＰＥＧ、ＧＩＦ等の各種の形式を用いることとしてよい。
【００２３】
プレビュー画像表示部３１は、プレビュー画像生成部３０により生成されたプレビュー画像６０を表示部１４に表示する。
【００２４】
送信情報画像生成部３２は、送信情態様記憶部に記憶されている送信態様に基づいて、画像送信装置１０の表示部１４に表示する送信情報画像５０を生成する。具体的には、図３に例示する送信態様に含まれる、各種送信方法と各種送信先とをそれぞれ組み合わせてなる送信情報を示す送信情報画像５０が生成される。
【００２５】
送信情報画像表示部３３は、送信情報画像生成部３２により生成された送信情報画像５０を表示部１４に表示する。
【００２６】
第１操作受付部３４は、プレビュー画像表示部３１により表示されるプレビュー画像６０と、送信情報画像表示部３３により表示される送信情報画像５０と、が表示される関連付け画面に対するユーザによる操作を受け付ける。具体的には、第１操作受付部３４は、送信情報画像５０とプレビュー画像６０とを関連付けるための関連付け操作、または表示部１４に表示される画像を変更するための表示制御操作を受け付ける。ユーザは操作部１５を用いて操作を行う。
【００２７】
図５は、関連付け画面の一例を示す図である。図５に例示するように、関連付け画面は、プレビュー画像領域２００にプレビュー画像６０が表示され、送信情報画像領域２１０に送信情報画像５０が表示される。図５において、プレビュー画像領域２００には、送信対象画像毎に生成されたプレビュー画像６０が表示される。送信情報画像５０は、送信方法と送信先のユーザ名とが対応付けられた画像としているが、送信方法と送信先のユーザＩＤ、が対応づけられてもよいし、メールアドレスまたはＦＡＸ番号が対応づけられてもよい。また、送信情報画像５０の表示順は、アルファベット順、使用頻度、お気に入り、等に応じて変更可能となっている。
【００２８】
そして、ユーザが、マウスや指等を用いて、送信情報画像５０をプレビュー画像６０にドラッグアンドドロップすると、第１操作受付部３４は、当該送信情報画像５０と当該プレビュー画像６０とを関連付けるための関連付け操作を受け付ける。第１操作受付部３４が関連付け操作を受け付けると、当該関連付け操作の対象である送信情報画像５０とプレビュー画像６０とを示す情報が出力される。また、第１操作受付部３４が、関連付け操作を受け付けると、当該関連付け操作の対象であるプレビュー画像６０と送信情報画像５０との関連付けを示す情報がプレビュー画像６０に対応付けられる。例えば、図５においては、プレビュー画像６０と送信情報画像５０との関連付けを示す情報として、アイコン２２０がプレビュー画像６０上に表示され、プレビュー画像６０に送信情報画像５０が関連付けられていることがわかる。アイコン２２０は、送信先のユーザ毎に個別の態様をしていることとする。ユーザは、任意に関連付け操作を行うことができ、１つのプレビュー画像６０に複数の送信情報画像５０が関連付けられる場合もあるし、複数のプレビュー画像６０それぞれに同一の送信情報画像５０が関連付けられる場合もある。なお、表示部１４には基本的にプレビュー画像６０だけが表示され、ユーザが、マウスや指等を用いていずれかのプレビュー画像６０を指示している間に送信情報画像５０が表示されることとしてもよい。また、プレビュー画像６０を送信情報画像５０にドラッグアンドドロップすることで、送信情報画像５０とプレビュー画像６０との関連付け操作を行ってもよい。
【００２９】
また、送信情報画像５０として、送信方法（例えば、“FAX”）を示す画像と送信先を示す画像（例えば、“Takahashi”、“Ito”）とが別々に表示されてもよく、例えば、ユーザにより送信方法“FAX”を示す画像が選択されると、送信方法“Fax”に対応する送信先の候補を示す画像（例えば、“Takahashi”、“Ito”）が表示されることとしてもよい。ここでは、送信態様記憶部２５に記憶されている送信先情報を参照して“FAX番号”が対応付けられているユーザ名やユーザＩＤが送信先の候補として表示されてよい。そして、送信先の候補からユーザが送信したい送信先を選択すると、選択された送信方法と送信先とが対応づけられて、関連付け操作の対象となるプレビュー画像６０にドラッグアンドドロップできるようにしてもよい。なお、ユーザにより送信先（例えば、“Takahashi”）を示す画像が選択されると、当該選択された送信先に対応する送信方法（例えば、“FAX”、“mail”）の候補を示す画像が表示されることとしてもよい。ここでは、送信態様記憶部２５に記憶されている送信先情報を参照して、ユーザ名“Takahashi”に対応付けられているメールアドレス及びFAX番号が送信方法の候補として表示されてよい。そして、送信方法の候補からユーザが送信方法を選択すると、選択された送信先と送信方法とが対応付けられて、関連付け操作の対象となるプレビュー画像６０にドラッグアンドドロップできるようにしてもよい。
【００３０】
また、表示部１４に関連付け画面が表示されているときに、ユーザが、マウスや指等を用いて、いずれかの送信情報画像５０に対してクリックまたはタップ等の指示を行うと、第１操作受付部３４は、表示部１４に表示される画像を変更するための表示制御操作を受け付ける。第１操作受付部３４が表示制御操作を受け付けると、表示制御操作の対象となる送信情報画像５０を示す情報が表示制御部３５に出力される。
【００３１】
表示制御部３５は、ユーザによる表示制御操作を受け付けた第１操作受付部３４が出力した情報に基づいて、表示部１４に表示される画像を変更する。ここでは、表示制御部３５は、表示制御操作の対象である送信情報画像５０に関連付けられているプレビュー画像６０を含む送信情報画像関連画面を表示部１４に表示する。
【００３２】
図６は、送信情報画像関連画面の一例を示す図である。図６に示すように、送信情報画像関連画面として、プレビュー画像領域２００にプレビュー画像６０と、送信情報画像領域２１０に送信情報画像５０と、が表示される。図６は、図５に示す送信情報画像「Takahasi(FAX)」が表示制御操作の対象である場合に、表示制御部３５が表示する送信情報画像関連画面である。図６において、送信情報画像「Takahasi(FAX)」は、１、２、４枚目のプレビュー画像６０に関連付けられている。この場合、表示制御部３５は、図に示すように送信情報画像「Takahasi(FAX)」に関連付けられている１、２、４枚目のプレビュー画像６０だけを表示する。
【００３３】
また、図５に示す関連付け画面において、送信情報画像５０として、送信方法を示す画像と送信先を示す画像とが別々に表示されている場合に、送信方法または送信先に応じた送信情報画像関連画面が表示されることとしてもよい。具体的には、ユーザによりいずれかの送信先を示す画像（例えば、“Takahashi”）が指示されると、送信情報画像関連画面のプレビュー画像領域２００には、送信先を示す画像“Takahashi”が関連付けられているプレビュー画像６０だけが表示されることとしてもよい。また、ユーザによりいずれかの送信方法を示す画像（例えば、“FAX”）が指示されると、送信情報画像関連画面のプレビュー画像領域２００には、送信方法示す画像“FAX”が関連付けられているプレビュー画像６０だけが表示されることとしてもよい。
【００３４】
また、送信情報画像領域２１０に表示されている送信情報画像５０のうち表示制御操作の対象である送信情報画像５０は、その送信情報画像５０に関連付けられているプレビュー画像６０が表示されていることを認識できるよう強調表示される。そして、ユーザが、強調表示されている送信情報画像５０に対してクリックまたはタップ等の指示を行うと、表示部１４に表示される画像は関連付け画面に戻る。また、ユーザが、送信情報画像領域２１０に表示されている送信情報画像５０のうち表示制御操作の対象でない送信情報画像５０に対してクリックまたはタップ等の指示を行うと、表示制御部３５は、当該指示された送信情報画像５０に関連付けられたプレビュー画像６０を表示する。
【００３５】
また、表示制御部３５は、表示制御操作の対象である送信情報画像５０が示す送信方法に応じた態様でプレビュー画像６０を表示してもよい。具体的には、表示制御操作の対象である送信情報画像５０が示す送信方法がＦＡＸ送信の場合は、表示制御部３５は、プレビュー画像６０を、実際のＦＡＸ送信の際に表示される態様（モノクロ表示、低解像度など）に変換して表示する。また、表示制御操作の対象である送信情報画像５０が示す送信方法がメール送信の場合も、表示制御部３５は、プレビュー画像６０を、実際のメール送信の際に添付される態様（圧縮表示など）に変換して表示してもよい。
【００３６】
送信リスト生成部２２は、ユーザによる関連付け操作を受け付けた第１操作受付部３４が出力した情報に基づいて送信対象画像に送信情報を関連付けることにより、複数の送信単位を含む送信リストを生成する。送信リスト生成部２２は、関連付け操作の対象であるプレビュー画像６０及び送信情報画像５０にそれぞれ対応する送信対象画像及び送信情報を関連付けた送信単位を送信リストに格納する。ここで、送信単位は、送信対象画像と送信情報とが１対１で関連づけられている。つまり、関連付け制御部２１により、１つの送信対象画像に複数の送信情報が関連付けられていても、送信対象画像と各送信情報とが関連付けられた複数の送信単位として送信リストに格納される。そして、送信リスト生成部２２が生成する送信リストは送信リスト記憶部２６に記憶される。
【００３７】
図７は、送信リスト記憶部２６に記憶される送信リストの一例を示す図である。図７に示すように、送信リストは、送信する順番を示す番号と、送信対象画像を識別する識別情報である画像ＩＤと、当該画像ＩＤに対応する送信対象画像に関連付けられている送信情報と、が対応付けられた複数の送信単位により構成されている。また、送信情報は、送信方法と送信先とを含む。図７に示す送信リストにおいては、番号の順に（例えば、番号１から順に）送信単位に対応する送信対象画像が送信されることとする。
【００３８】
送信制御部２３は、送信リスト生成部２２により送信リストが生成された後に、生成された送信リストに基づき、送信情報に従って当該送信情報に関連づけられた送信対象画像を順に送信する。ここで、送信リスト生成部２２により送信リストが生成された後とは、関連付け制御部２１における第１操作受付部３４がユーザからの関連付け操作の受付をすべて終了し、送信リストが完成した後となる。送信制御部２３は、送信リストに含まれる送信単位毎に送信対象画像を送信する。例えば、図７に示す送信リストに基づき送信対象画像を送信する場合は、送信制御部２３は、番号１の送信単位から順に、画像ＩＤが示す送信対象画像を、関連付けられている送信情報に従って送信する。つまり、番号１の送信単位を送信する場合は、送信制御部２３は、画像ＩＤ：Ａが示す送信対象画像を画像記憶部２４から取得し、「ccc@xx.co.jp」宛にメール送信することとなる。
【００３９】
送信制御部２３が実行する、送信対象画像を送信する処理の具体例について説明する。図８は、送信制御部２３が実現する機能の一例を示す機能ブロック図である。図８に示すように、送信制御部２３は、送信プレビュー画像生成部４０、送信プレビュー画像表示部４１、送信態様画像生成部４２、送信態様画像表示部４３、第２操作受付部４４、並び替え部４５、及び送信処理部４６を含んで構成される。
【００４０】
送信プレビュー画像生成部４０は、画像記憶部２４に保存されている取得画像のうちの送信対象画像に基づいて、画像送信装置１０の表示部１４に表示する送信プレビュー画像７０を生成する。送信プレビュー画像７０は、送信リスト記憶部２６に記憶されている送信リストに含まれる送信単位の内容をユーザが確認するための画像である。送信プレビュー画像７０は、送信単位に含まれる画像ＩＤに対応する送信対象画像の送信プレビュー画像７０を、送信方法の種類に応じた態様で生成する。具体的には、送信方法としてＦＡＸ送信が関連付けられている送信対象画像の送信プレビュー画像７０は、モノクロ表示、低解像度表示といったＦＡＸ送信の際に表示される態様で生成される。また、送信プレビュー画像７０は、表示部１４のディスプレイサイズや出力色数に応じて、送信対象画像を縮小、圧縮して送信プレビュー画像７０を生成してもよい。送信プレビュー画像７０は、送信対象画像と同じ画像形式であってもよいし、異なる画像形式であってもよい。なお、画像圧縮形式はＪＰＥＧ、ＧＩＦ等の各種の形式を用いることとしてよい。
【００４１】
送信プレビュー画像表示部４１は、送信リスト記憶部２６に記憶されている送信リストに基づいて、送信プレビュー画像生成部４０により生成された送信プレビュー画像７０を、表示部１４に表示する。送信プレビュー画像表示部４１は、送信リストの番号順に、対応する送信プレビュー画像７０を表示する。つまり、送信プレビュー画像７０は実際に送信される順に表示されることとなる。また、送信プレビュー画像表示部４１は、送信単位に含まれる送信情報を示す情報（例えば、アイコン２２０、送信情報画像５０）を対応付けた送信プレビュー画像７０を表示する。
【００４２】
送信態様画像生成部４２は、送信情態様記憶部に記憶されている送信態様に基づいて、画像送信装置１０の表示部１４に表示する送信態様画像を生成する。具体的には、図に例示する送信態様に含まれる送信方法を示す送信方法画像８０と、送信態様に含まれる送信先を示す送信先画像９０と、が生成される。
【００４３】
送信態様画像表示部４３は、送信態様画像生成部４２により生成された送信方法画像８０と、送信先画像９０と、を表示部１４に表示する。
【００４４】
第２操作受付部４４は、送信プレビュー画像表示部４１により表示される送信プレビュー画像７０と、送信態様画像表示部４３により表示される送信方法画像８０及び送信先画像９０と、が表示される送信制御画面に対するユーザ操作を受け付ける。具体的には、第１操作受付部３４は、送信プレビュー画像７０の並び順を変更するための並び替え操作を受け付ける。ユーザは操作部１５を用いて操作を行う。
【００４５】
図９は、送信制御画面の一例を示す図である。図９に例示するように、送信制御画面は、送信プレビュー画像領域３００に送信プレビュー画像７０が表示され、送信方法画像領域３１０に送信方法画像８０が表示され、送信先画像領域３２０に送信先画像９０が表示される。図９において、送信先画像９０は、送信先のユーザ名が対応付けられた画像としているが、送信先のユーザＩＤ、メールアドレス、ＦＡＸ番号が対応づけられた画像としてもよい。図９において、送信プレビュー画像７０は、左端から右端に向けて順に表示されていることとする。
【００４６】
そして、ユーザが、マウスや指等を用いて、いずれかの送信プレビュー画像７０を、他の送信プレビュー画像７０の前または後ろにドラッグアンドドロップすると、第２操作受付部４４は、送信リストの送信単位の並び順を変更するための並び替え操作を受け付ける。第２操作受付部４４が並び替え操作を受け付けると、並び替え操作の対象となる送信プレビュー画像７０の情報と、当該送信プレビュー画像７０の並び替え後の位置を示す情報と、が出力される。並び替え後の位置を示す情報は、例えば、送信プレビュー画像７０の並び順の番号を示す情報であってよい。したがって、ユーザによる並び替え操作は、送信プレビュー画像７０のドラッグアンドドロップ操作に限定されず、例えば、ユーザが、並び替え操作の対象となる送信プレビュー画像７０に対してクリック、タップ等の指示操作を行うと、並び替え後の並び順の番号をユーザに指定させるための指示を出力することとしてもよい。そして、指示に従いユーザが番号を指定することで、第２操作受付部４４が並び替え操作を受け付けてもよい。また、ユーザは任意に送信プレビュー画像７０を並びかえることができる。
【００４７】
並び替え部４５は、ユーザによる並び替え操作を受け付けた第２操作受付部４４から出力された情報に基づいて、送信リスト記憶部２６に記憶されている送信リストの送信単位を並び替える。具体的には、並び替え操作の対象となる送信プレビュー画像７０に対応する送信単位の番号を、並び替え後の番号に変更し、並び替え後の番号より大きい番号の送信単位はそれぞれの番号に１を加算した番号に変更する。そして、変更された番号で昇順にソートすることで、送信単位が並び替えられる。そして、送信単位が並び替えられた送信リストが送信リスト記憶部２６に記憶され、送信リストが更新される。送信リストが更新されると、送信プレビュー画像表示部４１が、送信リスト記憶部２６に記憶されている更新された送信リストに基づいて、送信プレビュー画像７０を、表示部１４に表示する。これにより送信制御画面も更新される。
【００４８】
送信処理部４６は、ユーザの処理実行要求に応じて、送信リスト記憶部２６に記憶されている送信リストに基づき、送信情報に従って当該送信情報に関連づけられた送信対象画像を画像記憶部２４から取得して順に送信する。
【００４９】
また、ユーザは、送信方法画像８０を用いて並び替え操作を行うこととしてもよい。まず、送信制御画面において、ユーザが、マウスや指等を用いて、いずれかの送信方法画像８０に対してクリックまたはタップ等の指示操作を行うと、第２操作受付部４４は、送信リストの送信単位の並び順を変更するための並び替え操作を受け付ける。この場合は、第２操作受付部４４が並び替え操作を受け付けると、指示対象の送信方法画像８０の情報が出力される。そして、並び替え部４５が、指示対象の送信方法画像８０の情報に基づいて、送信リスト記憶部２６に記憶されている送信リストの送信単位を並び替える。並び替え部４５は、指示対象の送信方法画像８０が示す送信方法が関連付けられている送信単位を他の送信単位より送信順が先になるよう優先的に並び替える。具体的には、並び替え部４５は、指示対象の送信方法画像８０が示す送信方法が関連付けられている送信単位を、送信リストの番号１から順にリストするように送信単位を並び替える。これにより、送信処理部４６は、ユーザの指示した送信方法画像８０が示す送信方法が関連付けられている送信単位を他の送信単位より優先的に送信することとなる。なお、並び替え部４５は、指示対象の送信方法画像８０が示す送信方法が関連付けられている送信単位を、送信リストの最後にリストするように送信単位を並び替えてもよい。そして、送信単位が並び替えられた送信リストが送信リスト記憶部２６に記憶され、送信リストが更新される。送信リストが更新されると、送信プレビュー画像表示部４１が、送信リスト記憶部２６に記憶されている更新された送信リストに基づいて、送信プレビュー画像７０を、表示部１４に表示する。これにより送信制御画面も更新される。
【００５０】
また、ユーザは、送信先画像９０を用いて並び替え操作を行うこととしてもよい。まず、送信制御画面において、ユーザが、マウスや指等を用いて、いずれかの送信先画像９０に対してクリックまたはタップ等の指示操作を行うと、第２操作受付部４４は、送信リストの送信単位の並び順を変更するための並び替え操作を受け付ける。この場合は、第２操作受付部４４が並び替え操作を受け付けると、指示対象の送信先画像９０の情報が出力される。そして、並び替え部４５が、指示対象の送信先画像９０の情報に基づいて、送信リスト記憶部２６に記憶されている送信リストの送信単位を並び替える。並び替え部４５は、指示対象の送信先画像９０が示す送信先が関連付けられている送信単位を他の送信単位より送信順が先になるよう優先的に並び替える。具体的には、並び替え部４５は、指示対象の送信先画像９０が示す送信先が関連付けられている送信単位を、送信リストの番号１から順にリストするように送信単位を並び替える。これにより、送信処理部４６は、ユーザの指示した送信先画像９０が示す送信先が関連付けられている送信単位を他の送信単位より優先的に送信することとなる。なお、並び替え部４５は、指示対象の送信先画像９０が示す送信先が関連付けられている送信単位を、送信リストの最後にリストするように送信単位を並び替えてもよい。そして、送信単位が並び替えられた送信リストが送信リスト記憶部２６に記憶され、送信リストが更新される。送信リストが更新されると、送信プレビュー画像表示部４１が、送信リスト記憶部２６に記憶されている更新された送信リストに基づいて、送信プレビュー画像７０を、表示部１４に表示する。これにより送信制御画面も更新される。
【００５１】
また、並び替え部４５は、送信リストを参照して、送信先として関連付けられているユーザの数に応じて送信単位を並び替えてもよい。具体的に、並び替え部４５は、送信先として関連付けられている数が多いユーザを含む送信単位を他の送信単位より送信順が先になるよう優先的に並び替えてもよい。この場合には、送信単位に関連付けられている数が多い送信先であるユーザは、送信単位に関連付けられている数が少ない送信先であるユーザより先に送信される。逆に、送信先として関連付けられている数が少ないユーザを含む送信単位を優先的に並び替えてもよい。この場合には、送信単位に関連付けられている数が少ない送信先であるユーザは、送信単位に関連付けられている数が多い送信先であるユーザより先に送信される。この場合は、送信先として関連付けられているユーザの数に応じた並び替えを行うことを指示する指示画像を送信制御画面に含める。そして、ユーザが、指示画像を指示することで、第２操作受付部４４は、送信リストの送信単位の並び順を変更するための並び替え操作を受け付ける。そして、送信単位が並び替えられた送信リストが送信リスト記憶部２６に記憶され、送信リストが更新される。送信リストが更新されると、送信プレビュー画像表示部４１が、送信リスト記憶部２６に記憶されている更新された送信リストに基づいて、送信プレビュー画像７０を、表示部１４に表示する。これにより送信制御画面も更新される。
【００５２】
なお、本発明は以下に示すような装置やプログラムとしてもよい。
【００５３】
（１）本発明は、装置であって、画像と前記画像の送信方法及び送信先を含む送信情報とを表示手段に表示し、ユーザの操作に応じて前記画像と１以上の前記送信情報とを関連づける関連付け手段と、前記画像に関連付けられている前記送信情報に従って前記画像を送信する送信制御手段と、ユーザ操作により前記表示手段に表示された前記送信情報が指示されると、当該送信情報が関連付けられている前記画像を前記表示手段に表示する表示制御手段と、を含むこととしてもよい。
【００５４】
（２）本発明は、上記（１）に記載の装置において、前記関連付け手段が前記画像と前記送信情報とを関連付けると、当該送信情報に含まれる前記送信方法及び前記送信先を示す情報が、当該画像に対応づけられて前記表示手段に表示される、こととしてもよい。
【００５５】
（３）本発明は、装置であって、画像と前記画像の送信方法及び送信先を含む送信情報とを表示手段に表示し、ユーザの操作に応じて前記画像と１以上の前記送信情報とを関連づける関連付け手段と、前記画像に関連付けられている前記送信情報に従って前記画像を送信する送信制御手段と、ユーザ操作により前記表示手段に表示された前記送信情報が指示されると、当該送信情報が関連付けられていない前記画像を前記表示手段に表示しない表示制御手段と、を有することとしてもよい。
【００５６】
（４）本発明は、上記（１）に記載の装置において、ユーザ操作により前記表示手段に表示された前記送信方法を示す情報が指示されると、前記表示制御手段は、当該送信方法が関連付けられている前記画像を前記表示手段に表示する、こととしてもよい。
【００５７】
（５）本発明は、上記（１）に記載の装置において、ユーザ操作により前記表示手段に表示された前記送信先を示す情報が指示されると、前記表示制御手段は、当該送信先が関連付けられている前記画像を前記表示手段に表示する、こととしてもよい。
【００５８】
（６）本発明は、上記（１）または（４）に記載の装置において、前記関連付け手段が関連付けた前記画像と前記送信情報とを含む、複数の送信単位を生成する送信単位生成手段、をさらに含み、前記送信制御手段は、前記複数の送信単位に基づき、前記送信情報に従って該送信情報に関連づけられた前記画像を送信する、こととしてもよい。
【００５９】
（７）本発明は、装置であって、画像と前記画像の送信方法及び送信先を含む送信情報とを表示手段に表示し、ユーザの操作に応じて前記画像と１以上の前記送信情報とを関連づける関連付け手段と、前記画像に関連付けられている前記送信情報に従って前記画像を送信する送信制御手段と、前記関連付け手段が関連付けた前記画像と前記送信情報とを含む、複数の送信単位を生成する送信単位生成手段と、ユーザ操作に応じて、前記複数の送信単位を並び替える並び替え手段と、を含み、前記送信制御手段は、前記並び替えられた複数の送信単位に基づき、前記送信情報に関連づけられた前記画像を、送信する、こととしてもよい。
【００６０】
（８）本発明は、上記（７）に記載の装置において、前記並べ替え手段は、ユーザ操作により指示される前記送信方法が関連付けられている前記送信単位を優先的に並び替える、こととしてもよい。
【００６１】
（９）本発明は、上記（７）に記載の装置において、前記並べ替え手段は、ユーザ操作により指示される前記送信先が関連付けられている前記送信単位を優先的に並び替える、こととしてもよい。
【００６２】
（１０）本発明は、プログラムであって、画像と前記画像の送信方法及び送信先を含む送信情報とを表示手段に表示し、ユーザの操作に応じて前記画像と１以上の前記送信情報とを関連づける関連付け手段、前記画像に関連付けられている前記送信情報に従って前記画像を送信する送信制御手段、ユーザ操作により前記表示手段に表示された前記送信情報が指示されると、当該送信情報が関連付けられている前記画像を前記表示手段に表示する表示制御手段、としてコンピュータを機能させることとしたものである。
【００６３】
（１１）また、本発明は、プログラムであって、画像と前記画像の送信方法及び送信先を含む送信情報とを表示手段に表示し、ユーザの操作に応じて前記画像と１以上の前記送信情報とを関連づける関連付け手段、前記画像に関連付けられている前記送信情報に従って前記画像を送信する送信制御手段、ユーザ操作により前記表示手段に表示された前記送信情報が指示されると、当該送信情報が関連付けられていない前記画像を前記表示手段に表示しない表示制御手段、としてコンピュータを機能させることとしたものである。
【００６４】
（１２）また、本発明は、画像と前記画像の送信方法及び送信先を含む送信情報とを表示手段に表示し、ユーザの操作に応じて前記画像と１以上の前記送信情報とを関連づける関連付け手段、前記画像に関連付けられている前記送信情報に従って前記画像を送信する送信制御手段、前記関連付け手段が関連付けた前記画像と前記送信情報とを含む、複数の送信単位を生成する送信単位生成手段、ユーザ操作に応じて、前記複数の送信単位を並び替える並び替え手段、としてコンピュータを機能させるプログラムであって、前記送信制御手段は、前記並び替えられた複数の送信単位に基づき、前記送信情報に関連づけられた前記画像を、送信する、こととしたものである。
【００６５】
上記（１）、（３）、（６）、（１０）、及び（１１）に記載の本発明によれば、複数の画像のうち送信をしたい画像をユーザが指定した送信方法でユーザが指定した送信先に送信することができるとともに、ユーザにより指定された送信情報に関連づけられた画像を表示することができる。
【００６６】
上記（２）に記載の本発明によれば、送信する画像の送信方法及び送信先を確認することができる。
【００６７】
上記（４）に記載の本発明によれば、ユーザにより指定された送信方法に関連付けられた画像を表示することができる。
【００６８】
上記（５）に記載の本発明によれば、ユーザにより指定された送信先に関連づけられた画像を表示することができる。
【００６９】
上記（７）及び（１２）に記載の本発明によれば、複数の画像のうち送信をしたい画像をユーザが指定した送信方法でユーザが指定した送信先に送信することができるとともに、複数の送信単位の送信の順番をユーザ操作が並び変えた順番とすることができる。
【００７０】
上記（８）に記載の本発明によれば、ユーザにより指定された送信方法に関連付けられる送信単位を優先的に送信することができる。
【００７１】
上記（９）に記載の本発明によれば、ユーザにより指定された送信先に関連付けられる送信単位を優先的に送信することができる。
【符号の説明】
【００７２】
１０  画像送信装置、１１  制御部、１２  記憶部、１３  通信部、１４  表示部、１５  操作部、２０  画像取得部、２１  関連付け制御部、２２  送信リスト生成部、２３
送信制御部、２４  画像記憶部、２５  送信態様記憶部、２６  送信リスト記憶部、３０  プレビュー画像生成部、３１  プレビュー画像表示部、３２  送信情報画像生成部、３３  送信情報画像表示部、３４  第１操作受付部、３５  表示制御部、４０  送信プレビュー画像生成部、４１  送信プレビュー画像表示部、４２  送信態様画像生成部、４３
送信態様画像表示部、４４  第２操作受付部、４５  並び替え部、４６  送信処理部、５０  送信情報画像、６０  プレビュー画像、７０  送信プレビュー画像、８０  送信方法画像、９０  送信先画像、１００  送信方法情報、１１０  送信先情報、２００  プレビュー画像領域、２１０  送信情報画像領域、２２０  アイコン、３００  送信プレビュー画像領域、３１０  送信方法画像領域、３２０  送信先画像領域。
【図１】
0005962803.tif 000002
【図２】
0005962803.tif 000003
【図３】
0005962803.tif 000004
【図４】
0005962803.tif 000005
【図５】
0005962803.tif 000006
【図６】
0005962803.tif 000007
【図７】
0005962803.tif 000008
【図８】
0005962803.tif 000009
【図９】
0005962803.tif 000010